(57)【要約】      （修正有）【課題】従来の耳掻き具や綿棒では、充分に掻き取る事が出来なかった耳垢を、残存感なく除去し耳孔内を清潔にする事。【解決手段】  掻きしろ１は、先端から両側面にかけて広範囲に掻きしろがあり、耳垢の掻き出しと、側面を使ってこびり付いた耳垢の剥ぎ取りができ、内面がスプーン状のくぼみになっているので、耳垢がこぼれ落ちずに耳垢を取り出す事が出来る。また後部に従来の湾曲型耳掻きも一体に備えているので、双方の耳掻きのもつ性能を十分に発揮する事ができる。【選択図】図１
2006175195.tif 000002
【特許請求の範囲】
【請求項１】
耳垢を掻く部分が、細長のスプーン型形状である。
【請求項２】
前記耳掻き具のかきしろは、かきしろの先端から両側面まで耳垢を掻き取る事ができる様に、
なつている。
【請求項３】
前記耳掻き具は、掻きしろ部の中央に向かいスプーン形状の窪みがあるので、耳垢を包み込み、そのまま外へ運びだすことができる。
【請求項４】
前記耳掻き具は耳垢取りを行う際、耳掻き部分及び全体が折れたり曲ったりしない硬い材質の、竹、プラスチック、金属、木材、ガラス、カーボンを使用する。
【発明の詳細な説明】
【発明の詳細な説明】
【０００１】    本発明は、従来の耳掻きでは十分に取れなかった耳垢を除去する為の道具に関する。
【従来技術およびその問題点】
【０００２】  従来の、耳掻きの一例を図５に示す。すなわち、この耳掻きは、竹、樹脂、ガラス、金属等を素材として形成されるものであって、棒状の枝部本体の先端部に一体に形成される従来型湾曲形状の耳掻き部を具えている
【０００３】  そして、このような構成の耳掻き図５によって耳垢を掻き出すには、柄部７を手で持って耳掻き部５を，耳孔内の耳垢よりも奥に差込み，掻きだすように柄部７を引き出せば良いものである。
【発明が解決しようとする課題】
【０００４】しかしながら、上記のように構成されている従来の耳掻き図５にあっては、構造的には単に湾曲型掻きしろの先端が、耳垢に触れた部分の耳垢を掻き取るだけの物であり、耳垢が存在している位置よりも、更に深部に先端を差し込まなくてはならず、こびり付いた耳垢を除去する為に耳孔内を傷つけたり、せっかく掻き取った耳垢がこぼれ落ちる場合が多かった。
【０００５】  一方、上記のような、耳孔内面を傷つかないように、問題を解決した耳掻きが特開６−３４３５７２号公報に示されている。この耳掻きは、柄部と耳掻き部とを弾力性のある素材で形成したものを連結して一体とし、弾力性のある素材自体の弾性変形により、耳掻き部から耳孔の内面に加わる力を和らげるように構成したのである。
【０００６】    しかしながら上述の如く、従来技術に係る耳掻きは、耳垢のある位置より深く先端を挿し入れて、掻き出さなければならず、また側面を使う事が出来ないばかりか、窪みがない為に掻き取った耳垢がポロポロと側面からこぼれ落ち、十分な耳垢取りが難しい。
【０００７】    このため、耳穴の狭いいところや耳穴の深い位置にあるこびり付いた耳垢が取れにくく、耳掻きを終えても残存感が残っていたりするが、昔から現在までこの湾曲型耳掻きに代わる耳掻きが、発明されてはいるものの、一般化されていないのが現状である。
【課題を解決するための手段】
【０００８】    本発明は、このような点に鑑みて成されたものであり、その目的は、耳掻き部を細長いスプーン型にする事により、取れにくい場所にある耳垢の掻き出しと、側面を使って，こびりついた耳垢の剥ぎ取りが可能で、スプーンのように中央に向けてくぼみがあるので、耳垢をとりこぼす事なく、運びだす事ができるようにする事である。
【０００９】  上記の目的を達成する本発明の耳掻きは、先端から両側面までかきしろを有する細長いスプーン型であることを特徴とし、本発明品の材質としては、力を加えても変形しない、竹、ガラス、木材、樹脂材、カーボン、金属、セルロイド、鼈甲等で形成される。
【発明の作用】
【００１０】  以上説明したように本発明によれば、耳垢の掻き取りだけでなく、深く狭い耳穴内にある、取れにくい耳垢の掻き出しや、掻き取った耳垢が耳穴内で、こぼれ落ちずに取り出す事に極めて有効である。
【発明を実施するための最良の形態】
【００１１】  以下、本発明の実施の形態を図面に基づき説明する。
図１、図２、図３、図４には、この発明による耳掻きの一実施の形態が示されていて、この耳掻き図１は、丸棒状又は、半円形棒状の柄部２の後部に設けられる従来型湾曲形状（略Ｃ字形状）の耳掻き部４とを具えている。【００１２】  柄部２および耳掻き部１と湾曲型耳掻き部４は、ちからが加っても変形しない０００９で挙げた硬い材質であれば良い。
図１〜図４は本発明の第１の実施の形態に係り、図１はその外観斜視図、図２はその縦断面図、図３はその掻きしろの上面図、図４は掻きしろの断面図であり、図５は従来の湾曲型耳掻きである。【００１３】  図１、図２，図３，図４に示すように、本耳掻きは、かきしろの先端が細長いスプーン型になっており、製造にあたっては、従来の湾曲型耳掻き図５の様に掻きしろの手前６を一旦細くし、また掻きしろ部分を柄部の寸法に太くし、薄く平たく削り、先端部を半円形にしたうえ、湾曲に角度をつけるといった、複雑な制作課程を必要とせず、ただ掻きしろ部分をスプーン状に堀込み、先端部分に多少の角度を付ければ良いだけなので、従来型耳掻きよりも製造も簡単でコストも低くできる。
【発明の効果】
【００１４】  この実施形態では、従来の耳掻きもできるうえ、掻き取りが困難で、かゆみを発する耳垢も掻き取れ、耳垢の残存感がなくスッキリした耳掻きが可能となる。
【００１５】  もとより、モンゴル系人種であるアジア系民族や日本人の耳垢は、乾いているタイプであり耳孔内にこびり付きやすく、耳掻きの道具は生活の上で欠かせないものであり、本発明の耳掻きは日本国内だけでなく、近隣諸国においても需要が見込まれる。
【図１】
2006175195.tif 000003
【図２】
2006175195.tif 000004
【図３】
2006175195.tif 000005
【図４】
2006175195.tif 000006
【図５】
2006175195.tif 000007
【手続補正書】
【提出日】平成17年4月19日(2005.4.19)
【手続補正１】
【補正対象書類名】明細書
【補正対象項目名】全文
【補正方法】変更
【補正の内容】
【発明の詳細な説明】
【発明の詳細な説明】
【０００１】  本発明は、従来の耳掻きでは十分に取れなかった耳垢を除去する為の道具に関する。
【従来技術およびその問題点】
【０００２】  従来の、耳掻きの一例を図５に示す。すなわち、この耳掻きは、竹、プラスチック、金属等を素材として形成されるものであって、棒状の枝部の先端部に一体に形成される湾曲形状の耳掻き部を具えている
【０００３】  そして、このような構成の耳掻き図５によって耳垢を掻き出すには、柄部７を手で持って耳掻き部５を耳孔内の耳垢よりも奥に差込み、掻きだすように柄部７を引き出せば良いものである。
【０００４】
【発明が解決しようとする課題】
しかしながら、上記のように構成されている従来の耳掻き図５にあっては、構造的には単に先端が耳垢に触れた部分の耳垢を掻き取るだけの物であり、耳垢が存在している位置よりも、更に深部に先端を差し込まなければならず、こびり付いた耳垢を除去する為に耳孔内を傷つけたり、せっかく掻き取った耳垢がこぼれ落ちる場合が多かった。
【０００５】  一方、上記のような、耳孔内面を傷つかないように、問題を解決した耳掻きが特開６−３４３５７２号公報にしめされている。この耳掻きは、柄部と耳掻き部とを弾力性のある素材で形成したものを連結して一体とし、弾力性のある素材自体の弾性変形により、耳掻き部から耳孔の内面に加わる力を和らげるように構成したものである。
【０００６】  しかしながら上述の如く、従来技術に係る耳掻きは、耳垢のある位置より深く先端を挿し入れて、掻き出さなければならず、また側面を使う事が出来ないばかりか、窪みが無い為に掻き取った耳垢がポロポロと側面からこぼれ落ち、十分な耳垢取りが難しい。このため、耳穴の狭いところや耳穴の深い位置にあるこびり付いた耳垢が取れにくく、耳掻きを終えても残存感が残っていたりするが、昔から現在までこの湾曲型耳掻きに代わる耳掻きが、発明されてはいるものの、一般化されていないのが現状である。
【発明が解決しようとする課題】
【０００７】  また、従来技術に係る耳掻きは、耳垢のある位置より深く先端を挿し入れて、掻き出さなければならず側面が使えないので、力を入れ過ぎて耳穴内部を傷付けたり、掻き取つた耳垢がポロポロと側面からこぼれ落ち十分な耳垢取りが難しい。
このため、耳穴の狭いところや耳穴の深い位置にある耳垢が取れにくく、耳掻きを終えても違和感が残っていたりするのが現状である。
【０００８】  本発明は、このような点に鑑みて成されたものであり、その目的は、耳掻き部を細長いスプーン型にする事により、取れにくい場所にある耳垢の掻き出しと、側面からの掻き取りが可能で、耳垢をとりこぼす事なく運びだす事ができるようにする事である。
【課題を解決するための手段】
【０００９】  上記の目的を達成する本発明の耳掻きは、先端から側面までかきしろを有する細長いスプーン型であることを特徴とし、本発明品の材質としては、力を加えても変形しない、竹、ガラス、木材、樹脂材、カ−ボン、金属、セルロイド、鼈甲等で形成される。
【発明の効果】
【００１０】  以上説明したように本発明によれば、耳垢の掻き取りだけでなく深く狭い耳穴内にある取れにくい耳垢の掻き出しや、取った耳垢が耳穴中で落ちずに取り出す事に極めて有効である。
【発明を実施するための最良の形態】
【００１１】  以下、本発明の実施の形態を図面に基づき詳細に説明する。
図１、図２、図３、図４には、この発明による耳掻きの一実施の形態が示されていて、この耳掻き図１は、丸棒状又は、半円形棒状の柄部２の後部に設けられる従来型湾曲形状（略Ｃ型形状）の耳掻き部４とを具えている。【００１２】  柄部２および耳掻き部１と湾曲型耳掻き部４は、ちからが加わって変形しない０００９で挙げた硬い材質であれば良い。
図１〜図４は本発明の第１の実施の形態に係り、図１はその外観斜視図、図２はその縦断面図、図３はその掻きしろの上面図、図４は掻きしろの断面図であり、図５は従来の湾曲型耳掻きである。【００１３】  図１、図２、図３、図４に示すように、本耳掻きはかきしろの先端が細長いスプ−ン型になっており、製造にあたっては、従来の湾曲型耳掻き図５の様に掻きしろの手前６を一旦細くし、また掻きしろ部分を柄部の寸法に太くし、薄く平たく削り、先端部を半円形にしたうえ、湾曲に角度をつけると言った、複雑な制作課程を必要とせず、ただ掻きしろ部分をスプ−ン状に堀込み、先端部分に多少の角度を付ければ良いだけなので、従来型耳掻きよりも製造も簡単でコストも低くできる。
【発明の効果】
【００１４】  この実施形態では、従来の耳掻きもできるうえ、掻き取りが困難で、かゆみを発する耳垢も掻き取れ、耳垢の残存感がなくスッキリした耳掻きが可能となる。
【００１５】  もとより、モンゴル系人種であるアジア系民族や日本人の耳垢は、乾いているタイプであり耳孔内にこびり付きやすく、耳掻きの道具は生活の上で欠かせないものであり、本発明の耳掻きは日本国内だけでなく、近隣諸国においても需要が見込まれる。
【図面の簡単な説明】
【００１６】
【図１】  この発明による一実施の形態を示した外観斜視図である。
【図２】  図１の側面から見た断面図である。
【図３】  本発明品の掻きしろ部分の上面図である。
【図４】  本発明品の掻きしろ部分の断面図である。
【図５】  従来の湾曲型耳掻きである。
【符号の説明】
【００１７】  １……本発明品の掻きしろ部分
２……本体握り部
３……湾曲型耳掻き部手前の細くなる部分
４……湾曲型耳掻き部分
５……従来型耳掻きの湾曲部分
６……従来型耳掻きの掻きしろ手前の細くなる部分
７……従来型耳掻きの梵天